(57)【要約】【課題】通信端末Ａと通信中継機器Ｂとの間に近距離無線通信接続（ローカル接続）が完了した後、通信中継機器ＢとネットワークＣとの間で接続（リモート接続）を試みる段階において、回線のＢｕｓｙ等によりリモート接続が失敗した場合、一定時間の待機を行い、その後リダイヤルを行い再接続を試みる際に、ローカル接続維持のために必要な電力消費を低減することができる通信装置を得る。【解決手段】デジタルカメラ２が携帯電話４を介してプロバイダ６へ接続可能であり、デジタルカメラ２の近距離無線用通信手段が携帯電話４と近距離無線通信により通信を行うことができる。近距離無線用通信手段によって携帯電話４と近距離無線通信による通信が確立できた後に携帯電話４を介してプロバイダ６へのリモート接続が確立できない場合、リモート接続へのリダイヤルまでの間、接続モード変更手段は近距離無線通信の接続状態を通常の通信モードよりも電力がかからない省電力接続モードに移行させておく。【選択図】図４
2004180077.tif 000002
【特許請求の範囲】
【請求項１】
ネットワークへ通信中継機器を介して接続可能な通信装置であって、
前記通信中継機器と近距離無線通信により通信することができる近距離無線用通信手段と、
前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、前記近距離無線通信の接続状態を通常の通信モードよりも電力がかからない省電力接続モードに移行させておく接続モード変更手段と、からなる通信装置。
【請求項２】
ネットワークへ通信中継機器を介して接続可能な通信装置であって、
前記通信中継機器と近距離無線通信により通信することができる近距離無線用通信手段と、
前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、前記通信中継機器との近距離無線通信の接続を断つ接続モード切断手段と、からなる通信装置。
【請求項３】
通信端末からネットワークへ通信中継機器を介して接続する通信方法であって、
前記通信端末と前記通信中継機器との近距離無線通信による通信を確立するステップと、
前記近距離無線通信による通信が確立できた後に前記通信中継機器を介して前記ネットワークへのリモート接続を試みるステップと、
前記リモート接続が確立できない場合、リモート接続へのリダイヤルまでの間、前記近距離無線通信の接続状態を通常の通信モードよりも電力がかからない省電力接続モードに移行させておくステップと、からなる通信方法。
【請求項４】
通信端末からネットワークへ通信中継機器を介して接続する通信方法であって、
前記通信端末と前記通信中継機器との近距離無線通信による通信を確立するステップと、
前記近距離無線通信による通信が確立できた後に前記通信中継機器を介して前記ネットワークへのリモート接続を試みるステップと、
前記リモート接続が確立できない場合、リモート接続へのリダイヤルまでの間、前記通信端末と前記通信中継機器との前記近距離無線通信の接続を断つステップと、からなる通信方法。
【発明の詳細な説明】
【０００１】
【発明の属する技術分野】
本発明は、無線通信機能を有した通信装置が通信中継機器を介してネットワークへ接続する場合の通信装置及び方法に関し、特に、その場合の無線通信における省電力制御に関する。
【０００２】
【従来の技術】
従来、通信装置がローカル側の端末等との接続状態に応じて、通信装置の省電力モードへの移行を制御する技術が提供されている（特許文献１参照）。
【０００３】
しかし、電源容量の小さな内蔵電池駆動のモバイル端末の普及により、外部接続状態における端末自体の省電力制御技術が必要とされている。
【０００４】
さらに、携帯電話のように自らが主通信手段を持つ通信端末は別として、無線通信手段の多様化に伴い、通信端末自体には近距離無線通信機能のみを持ち、電話回線やインターネット回線などの公衆回線への接続は他の通信中継機器を用いる通信端末が出現してきている。このような通信端末にはデジタルカメラやパソコンなど種々の機器があるが、無線リンク状態にしておくことは有線リンク状態にしておくことに比べ電力消費が非常に大きいため、通信端末と通信中継機器との間の無線回線維持にかかる電力消費に関して省電力制御手段が必要とされている。
【０００５】
【特許文献１】
特開２０００−１８４１０６号公報
【０００６】
【発明が解決しようとする課題】
ここで、内蔵電源駆動の通信端末Ａにおいて、その通信端末Ａに対しローカルに存在する通信中継機器Ｂを介して、ネットワークＣにリモート接続する場合を考える。
【０００７】
まず、通信端末Ａと通信中継機器Ｂとの間に近距離無線通信接続（ローカル接続）が完了した後、通信中継機器ＢとネットワークＣとの間で接続（リモート接続）を試みる段階において、回線のＢｕｓｙ等によりリモート接続が失敗した場合、一定時間の待機を行い、その後リダイヤルを行い再接続を試みる。
【０００８】
この状況において、リダイヤルまでの待機時間の間は、通信端末Ａ、通信中継機器Ｂ共に他の第３の通信機器とのローカル接続は発生しないことを前提として、ローカル接続維持のために必要な電力消費を低減することができる通信装置及び通信方法を提供することを目的とする。
【０００９】
一方、省電力モードに移行したり通常モードに復帰したりする動作時間は無視できない程度に存在するため、必要以上の頻繁な両モード間の移行は避ける必要がある。
【００１０】
【課題を解決するための手段】
請求項１の本発明は、ネットワークへ通信中継機器を介して接続可能な通信装置であって、
前記通信中継機器と近距離無線通信により通信することができる近距離無線用通信手段と、
前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、前記近距離無線通信の接続状態を通常の通信モードよりも電力がかからない省電力接続モードに移行させておく接続モード変更手段と、からなる通信装置、からなる。
【００１１】
請求項１の本発明によれば、通信装置が通信中継機器を介してネットワークへ接続可能であり、通信装置の近距離無線用通信手段が通信中継機器と近距離無線通信により通信を行うことができる。前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、接続モード変更手段は前記近距離無線通信の接続状態を通常の通信モードよりも電力がかからない省電力接続モードに移行させておく。
【００１２】
請求項２の本発明は、ネットワークへ通信中継機器を介して接続可能な通信装置であって、
前記通信中継機器と近距離無線通信により通信することができる近距離無線用通信手段と、
前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、前記通信中継機器との近距離無線通信の接続を断つ接続モード切断手段と、からなる通信装置、からなる。
【００１３】
請求項２の本発明によれば、通信装置が通信中継機器を介してネットワークへ接続可能であり、通信装置の近距離無線用通信手段が通信中継機器と近距離無線通信により通信を行うことができる。前記近距離無線用通信手段によって前記通信中継機器と近距離無線通信による通信が確立できた後に前記通信中継機器を介して前記ネットワークへのリモート接続が確立できない場合、リモート接続へのリダイヤルまでの間、接続モード変更手段は前記近距離無線通信の接続を断つようにする。
【００１４】
請求項３の本発明は、通信端末からネットワークへ通信中継機器を介して接続する通信方法であって、
前記通信端末と前記通信中継機器との近距離無線通信による通信を確立するステップと、
前記近距離無線通信による通信が確立できた後に前記通信中継機器を介して前記ネットワークへのリモート接続を試みるステップと、
前記リモート接続が確立できない場合、リモート接続へのリダイヤルまでの間、前記近距離無線通信の接続状態を通常の通信モードよりも電力がかからない省電力接続モードに移行させておくステップと、からなる通信方法、からなる。
【００１５】
請求項３の本発明によれば、近距離無線通信による通信が確立できた後に通信中継機器を介してネットワークへのリモート接続を試みて、前記リモート接続が確立できない場合、リモート接続へのリダイヤルまでの間、前記近距離無線通信の接続状態を通常の通信モードよりも電力がかからない省電力接続モードに移行させておく。
【００１６】
請求項４の本発明は、通信端末からネットワークへ通信中継機器を介して接続する通信方法であって、
前記通信端末と前記通信中継機器との近距離無線通信による通信を確立するステップと、
前記近距離無線通信による通信が確立できた後に前記通信中継機器を介して前記ネットワークへのリモート接続を試みるステップと、
前記リモート接続が確立できない場合、リモート接続へのリダイヤルまでの間、前記通信端末と前記通信中継機器との前記近距離無線通信の接続を断つステップと、からなる通信方法、からなる。
【００１７】
請求項４の本発明によれば、近距離無線通信による通信が確立できた後に通信中継機器を介してネットワークへのリモート接続を試みて、前記リモート接続が確立できない場合、リモート接続へのリダイヤルまでの間、前記近距離無線通信の接続を断つ。
【００１８】
【発明の実施の形態】
以下、添付図面に従って本発明の実施の形態を詳説する。
【００１９】
本実施の形態では、図１に示すように、近距離無線通信手段を有するデジタルカメラ２で撮影した画像データをインターネット回線上のプロバイダ６へ送信するため、デジタルカメラ２が近距離無線通信手段を通じて通信中継機器である携帯電話４とローカル接続を確立し、その後携帯電話４からインターネットサービスプロバイダ（以下、「プロバイダ」という）６へ接続を試み、このときにプロバイダ６側がＢＵＳＹ状態であり、デジタルカメラ２が携帯電話４を介してリダイヤルを行う例を示す。
【００２０】
デジタルカメラ２と携帯電話４とは、デジタルカメラ２の近接無線通信部と携帯電話４の近接無線通信部とが近接無線通信可能なように接続されている。携帯電話４は公衆回線を介してプロバイダ６と接続している。
【００２１】
図２はデジタルカメラ２のブロック図である。撮像部１０は撮影レンズ、絞り、ＣＣＤ等を含み、撮影レンズを通過した光は絞りによって光量が調節された後、ＣＣＤに入射する。ＣＣＤの受光面にはフォトセンサが平面的に配列されており、撮影レンズを介してＣＣＤの受光面に結像された被写体像は、各フォトセンサによって入射光量に応じた信号電荷に変換される。各フォトセンサに蓄積された信号電荷は、ＣＣＤドライバ（図示せず）から与えられるパルスに基づいて信号電荷に応じた電圧信号（画像信号）として順次読み出される。
【００２２】
ＣＣＤから出力された画像信号は、アナログ処理部１２に送られる。アナログ処理部１２は、サンプリングホールド回路、色分離回路、ゲイン調整回路等の信号処理回路を含み、このアナログ処理部１２において、相関二重サンプリング（ＣＤＳ）処理並びにＲ，Ｇ，Ｂの各色信号に色分離処理され、各色信号の信号レベルの調整（プリホワイトバランス処理）が行われる。
【００２３】
アナログ処理部１２から出力された信号は、Ａ／Ｄ変換部１４によりデジタル信号に変換された後、内蔵バッファ（図示せず）を介してメモリ３６に格納される。ＣＣＤドライバ、アナログ処理部１２及びＡ／Ｄ変換部１４には、タイミングジェネレータ（図示せず）からタイミング信号が与えられ、このタイミング信号によって各回路の同期がとられている。
【００２４】
メモリ３６に記憶された画像データは信号処理部１５へ送られる。信号処理部１５は、輝度・色差信号生成回路、ガンマ補正回路、シャープネス補正回路、コントラスト補正回路、ホワイトバランス補正回路等の画像信号処理回路を含むデジタルシグナルプロセッサ（ＤＳＰ）で構成された信号処理手段であり、ＣＰＵ３４からのコマンドに従って画像信号を処理する。信号処理部１５に入力された画像データは、輝度信号（Ｙ信号）及び色差信号（Ｃｒ，Ｃｂ  信号）に変換されるとともに、ガンマ補正等の所定の処理が施された後、メモリ３６に格納される。
【００２５】
撮影画像を表示出力する場合、メモリ３６に格納された輝度・色差信号（ＹＣ信号と略記する）は、バス３５を介してフレームメモリ２６に送られる。フレームメモリ２６に記憶されたデータはＬＣＤ制御部３０に送られ、ここでオンスクリーンディスプレイ（以下、「ＯＳＤ」という）２８から供給される文字や記号のデータとともに表示用の所定方式の信号（例えば、ＮＴＳＣ方式のカラー複合映像信号）に変換される。
【００２６】
ＬＣＤ制御部３０の出力は液晶ディスプレイ（以下、「ＬＣＤ」という）３２に出力される。こうして、当該画像データの画像内容がＬＣＤ３２の画面上に表示される。
【００２７】
ＣＣＤから出力される画像信号によってメモリ３６内の画像データが定期的に書き換えられ、その画像データから生成される映像信号がＬＣＤ３２に供給されることにより、ＣＣＤを介して入力される画像がリアルタイムにＬＣＤ３２に表示される。撮影者は、ＬＣＤ３２に映し出される画像（スルー画）、或いは光学ファインダーによって撮影画角を確認できる。
【００２８】
パワー及びモードスイッチ４８により撮影系モードが選択され、レリーズスイッチ４８が押されると入出力インターフェース４６を介して撮影開始指示（レリーズＯＮ）信号が発せられる。ＣＰＵ３４は、この指示信号の受入に応動して、記録用の画像データの取り込みを開始する。また、ＣＰＵ３４は圧縮／伸張部２０にコマンドを送り、これにより圧縮／伸張部２０は、メモリ３６上の画像データをＪＰＥＧその他の所定の形式に従って圧縮する。
【００２９】
圧縮された画像データは、カードインターフェース５０、メモリカードスロット５２を介してメモリカード５４に記録される。本例のデジタルカメラ２では、画像データを保存する手段として、例えばスマートメディア（Ｓｏｌｉｄ−Ｓｔａｔｅ  Ｆｌｏｐｐｙ  Ｄｉｓｋ  Ｃａｒｄ）が適用される。記録メディアの形態はこれに限定されず、ＰＣカード、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用される。異種、同種の記録メディアを問わず、複数の媒体を装着可能な構成にしてもよい。また、データを保存する手段は、カメラ本体に着脱可能なリムーバブルメディアに限らず、デジタルカメラ２に内蔵された記録媒体（内部メモリ）であってもよい。
【００３０】
パワー及びモードスイッチ４８によって撮影系モードでムービーモードが選択されたときには、動画の記録が可能となり、レリーズスイッチ４８の押下によって録画動作がスタートし、もう一度レリーズスイッチ４８を押下すると録画動作が停止する。レリーズスイッチ４８を押下継続している期間、録画動作を行い、押下解除により録画を停止するようにしてもよい。１回の撮影で記録できる最長時間、画像サイズ、フレームレート及び記録方式などは予め定められており、例えば、１回の撮影で最長約８０秒のムービーを撮影でき、３２０  ×２４０  ピクセル、１０フレーム／秒、Ｍｏｔｉｏｎ  ＪＰＥＧ  形式によってメモリカード５４に記録される。
【００３１】
パワー及びモードスイッチ４８によって再生系モードが選択されると、メモリカード５４に記録されている最終のファイル（最後に記録したファイル）が読み出される。最終のファイルが画像ファイルの場合は、その画像ファイル（動画の場合には最初の一コマ）の画像データは、圧縮／伸張部２０によって伸張処理され、フレームメモリ２６、ＬＣＤ制御部３０を介してＬＣＤ３２に出力される。
【００３２】
この一コマ再生時に動画の先頭コマが表示されている状態で、所定の操作キーの押下によって動画の再生を開始させることができる。動画再生中に所定のキーを押すと、再生が中止される。
【００３３】
また、所定のキーを操作することにより、順方向又は逆方向にコマ送り（ファイル送り）することができ、コマ送りされた次のファイルがメモリカード５４から読み出され、上記と同様にして静止画又は動画が再生される。
【００３４】
ＣＰＵ３４は本カメラシステムを統括制御する制御部である。ＣＰＵ３４は、パワー及びモードスイッチ４８、レリーズスイッチ４８その他の操作部から受入する入力信号に基づいて、対応する回路の動作を制御し、ＬＣＤ３２における表示の制御、ストロボ発光制御、オートフォーカス（ＡＦ）制御及び自動露出（ＡＥ）制御等を行う。ＣＰＵ３４は、ＣＣＤを介して入力された画像データに基づいて焦点評価演算やＡＥ演算などの各種演算を行い、その演算結果に基づいてレンズ駆動部を制御して撮影レンズを合焦位置に移動させる一方、アイリス駆動部を制御して絞りを適正絞り値に設定するとともにＣＣＤの電荷蓄積時間を制御する。
【００３５】
メモリ３６にはＣＰＵ３４が処理するプログラム及び制御に必要な各種データ等が格納され、メモリ３６は画像処理領域の他、ＣＰＵ３４が各種の演算処理等を行う作業用領域を有する。
【００３６】
ストロボ装置は、ストロボ発光部、ストロボ調光センサ、コンデンサからなるストロボ１６、及びストロボ制御部１８から構成される。ストロボボタン４８の操作によって、低輝度時にストロボ１６を自動的に発光させる「低輝度自動発光モード」、「赤目軽減モード」、被写体輝度にかかわらずストロボ発光させる「強制発光モード」、又はストロボ発光を禁止させる「発光禁止モード」などの各モードに設定可能である。
【００３７】
ＣＰＵ３４は、操作者が選択したストロボモードに応じて、撮影実行時にストロボ制御部１８にコマンドを与える。ストロボ制御部１８は、ＣＰＵ３４から加えられる指令に基づいてコンデンサの充電制御やストロボ発光部への放電（発光）タイミングを制御する。
【００３８】
ストロボ調光センサは、ストロボ発光によって照らされる被写体からの反射光を受光し、受光量に応じた電気信号に変換する受光素子が用いられている。ストロボ調光センサの検出信号は図示せぬ積分回路により積算され、積算受光量が所定の適正受光量に達した時にストロボ１６の発光が停止される。
【００３９】
デジタルカメラ２の電源は、バッテリ４０又は電源入力端子に接続される図示せぬＡＣパワーアダプター等の外部電源を用いることができる。バッテリ４０等から供給される電力は、バッテリ制御部４２によって所要の電圧に変換された後、各回路ブロック、無線インターフェース２２に電源供給される。
【００４０】
バス３５には、外部機器と通信を行うための無線インターフェース２２が接続しており、無線インターフェース２２には画像データ等をＢｌｕｅｔｏｏｔｈ  （登録商標）などの近接無線通信で外部機器と送受信するためのアンテナ２４が接続している。タイマ３８、カレンダ時計４４もバス３５に接続している。
【００４１】
図３は携帯電話４の構成を示すブロック図である。
【００４２】
携帯電話４は、ＣＰＵ７０、システムメモリ７２、不揮発性メモリ７４、タイマ７６、カレンダ時計７８、スイッチ／ＬＥＤ等入出力部８０、近距離無線通信用送受信回路５６、無線電話回線用送受信回路６０、フレームメモリ６４がバス５７を介して接続されている。
【００４３】
送受信回路５６には近距離無線通信用のアンテナ５８が接続しており、送受信回路６０には無線電話回線用アンテナ６２が接続している。フレームメモリ６４にはＬＣＤ制御部６６が接続しており、ＬＣＤ制御部６６にはＬＣＤ６８が接続している。スイッチ／ＬＥＤ等入出力部８０にはスイッチ／ＬＥＤ等８２が接続している。
【００４４】
ＣＰＵ７０は携帯電話４を統括制御する制御部である。ＣＰＵ７０は、パワー電源、スイッチ等から受け入れする入力信号に基づいて、対応する回路の動作を制御し、ＬＣＤ６８における表示の制御等を行う。
【００４５】
システムメモリ７２は各種システムプログラムを記憶している。不揮発性メモリ７４は、登録済み電話番号、登録済みメールアドレス、受信済みメッセージ、着信記録等を記憶している。
【００４６】
スイッチ／ＬＥＤ等入出力部８０は、スイッチなどの入力要素、ＬＥＤ等の出力要素のインターフェースであり、入力情報を受け付けたり出力結果を表現したりする。
【００４７】
送受信回路５６及びアンテナ５８は、近距離無線通信で使用するものであり、ここではデジタルカメラ２とＢｌｕｅｔｏｏｔｈ  等の近距離無線通信をして制御信号、画像等を送受信することができる。
【００４８】
送受信回路６０及びアンテナ６２は、公衆回線（すなわち、電話回線やインターネット回線）を介しての通信に使用するものであり、本実施の形態ではプロバイダ６とインターネット通信をして制御信号、画像等を送受信することができる。
【００４９】
携帯電話４は、デジタルカメラ２とプロバイダ６との通信における通信中継機器として機能するものである。すなわち、デジタルカメラ２と携帯電話４とのローカル接続を確立した後は、デジタルカメラ２から携帯電話４を介してプロバイダ６にリモート接続を行うことができる。
【００５０】
バッテリ８４は、各部へ電源を供給する。
【００５１】
本実施の形態の作用を説明する。
【００５２】
本実施の形態では、近距離無線通信手段である無線インターフェース２２及びアンテナ２４を有するデジタルカメラ２で撮影した画像データを、インターネット上のプロバイダ６に送信するため、近距離無線通信手段を通じて携帯電話４とローカル接続を確立し、その後携帯電話４からプロバイダ６へ接続を試み、このときにプロバイダ側がＢＵＳＹ状態であり、リダイヤルを行う例を説明する。
【００５３】
図４は、本実施の形態における、デジタルカメラ２のフローチャート、及びデジタルカメラ２、携帯電話４、プロバイダ６の三者間の通信タイミングチャートを示した図である。
【００５４】
まず、デジタルカメラ２と携帯電話４との間で近距離無線通信手段を用いたローカル接続を確立する（ステップ８６）。これは、デジタルカメラ２から携帯電話４へローカル接続を要求するパケットを近距離無線通信回線を通じて送信し、携帯電話４がローカル接続確立ＯＫの信号をデジタルカメラ２に送信することによって行われる。Ｂｌｕｅｔｏｏｔｈ  の場合には、通信手順として、通信相手を探してその通信相手との通信のための同期を確立する同期確立段階と、同期が確立した上で接続及びデータ転送を行う通信接続段階とを有する。通信を行うＢｌｕｅｔｏｏｔｈ  機器（ここでは、デジタルカメラ２と携帯電話４）はマスターもしくはスレーブの役割を持つ。Ｂｌｕｅｔｏｏｔｈ  ではマスターとスレーブとの間でタイムスロットごとにパケットの送受を行って所定のネゴシエーションを行うことにより通信を行う。
【００５５】
次に、デジタルカメラ２から携帯電話４を介して公衆回線を用いてプロバイダ６にリモート接続を試行する（ステップ８８）。デジタルカメラ２からリモート接続試行のパケットが携帯電話４に送信される。その結果、携帯電話４からプロバイダ６に公衆回線を通じてリモート接続要求の信号が送信される。
【００５６】
そして、リモート接続結果の成否を問う（ステップ９０）。接続が成功すれば接続成功ということで終了し、接続が失敗するとステップ９２に移行する。ここではリモート接続失敗の例を説明する。プロバイダ６がＢＵＳＹで接続できなかったとするとプロバイダ６からはリモート接続失敗の信号が携帯電話４に送信され、携帯電話４からはリモート接続失敗の通知がデジタルカメラ２に送信される。
【００５７】
デジタルカメラ２の内蔵電源残量が規定値以上かどうかみる（ステップ９２）。規定値以下の場合は、省電力接続モードへ移行する（ステップ９４）。すなわち、デジタルカメラ２と携帯電話４との近距離無線リンクによるローカル接続回線を省電力接続モードに移行する。デジタルカメラ２からは携帯電話４に省電力接続モードへ移行したことを知らせるパケットが送信される。省電力接続モードとしては、パケットの交換指令を出さずにスリープさせるなどの方法がある。近距離無線通信の場合は、パケットの交換をいつでもできるように無線インターフェース２２等を稼動状態にしておくことが多くの電力を消費するので、これを防止したものである。
【００５８】
その後、デジタルカメラ２は省電力接続モードを保持したまま待機状態に入る（ステップ９６）。ステップ９２で内蔵電源残量が規定値以上の場合もステップ９６の待機状態へ移行する。
【００５９】
なお、上記ステップ９２を設けずに、リモート接続が失敗したらステップ９４へ直接移行するようにしてもよい。
【００６０】
待機時間が経過するか、又はいずれかのスイッチが操作されるかすると省電力モードから通常通信モードに復帰する（ステップ９８）。待機時間はユーザが設定できるようにしてもよい。通常通信モードへ復帰すると、それを知らせるパケットがデジタルカメラ２から携帯電話４に送信される。
【００６１】
その後、ステップ８８に戻り、再度デジタルカメラ２から携帯電話４を介してプロバイダ６にリモート接続を試みる（ステップ８８）。
【００６２】
なお、上記実施の形態において、デジタルカメラ２がリダイヤル待機の際に省電力接続モードへ移行するのではなく、デジタルカメラ２と携帯電話４とのローカル接続自体を切断するようにしてもよい。この場合、通常通信モードへ復帰するには、ローカル接続の再接続から行うこととなる。すなわち、ステップ８６へ戻る。
【００６３】
本実施の形態によれば、ネットワーク上のプロバイダへのリモート接続確立失敗後、再接続までの待機時間のデジタルカメラと携帯電話との無用な無線リンク維持にかかる不要な電力消費を低減若しくはなくすことができる。
【００６４】
本実施の形態では、デジタルカメラ２と携帯電話４との近距離無線通信をＢｌｕｅｔｏｏｔｈ  としたが、赤外線通信を用いてもよい。
【００６５】
また、本実施の形態では、ネットワークへ通信中継機器を介して接続可能な通信装置において、通信中継機器として携帯電話、通信装置としてデジタルカメラを用いたが、通信中継機器、通信装置はこれらに限定されない。
【００６６】
【発明の効果】
本発明によれば、ネットワークへのリモート接続確立失敗後、再接続までの待機時間の通信端末と通信中継機器との無用な無線リンク維持にかかる不要な電力消費を低減もしくはなくすことができる。
【図面の簡単な説明】
【図１】デジタルカメラと携帯電話とインターネットサービスプロバイダとの接続図。
【図２】デジタルカメラのブロック図。
【図３】携帯電話の構成を示すブロック図。
【図４】デジタルカメラのフローチャート、及びデジタルカメラ、携帯電話、プロバイダの三者間の通信タイミングチャートを示した図。
【符号の説明】
２…デジタルカメラ、４…携帯電話、６…プロバイダ、２２…無線インターフェース、２４…アンテナ、３４…ＣＰＵ、３６…メモリ、４６…入出力インターフェース、４８…スイッチ／ＬＥＤ等、５６…送受信回路、５８…アンテナ、６０…送受信回路、６２…アンテナ、７０…ＣＰＵ、７２…システムメモリ、７４…不揮発性メモリ
【図１】
2004180077.tif 000003
【図２】
2004180077.tif 000004
【図３】
2004180077.tif 000005
【図４】
2004180077.tif 000006